(57)【要約】【課題】電子機器の小型化、薄型化を妨げることなく、筺体内に侵入する静電気による影響を確実に抑える。【解決手段】本体筺体１１Ａの開口部１３の外周の全周にわたって形成された段部１５の一部には、本体筺体１１Ａの内外を貫通する貫通孔１７が形成されている。一方、インナーケース２２のカバー壁部２２ｂには、貫通孔１７内に向けて突出する突起２３が形成されている。カバー１４の外周部と表示筺体１１Ａとの隙間Ｓから静電気が侵入しようとすると、カバー１４と段部１５の間を静電気は通る。このとき、カバー１４と段部１５とが対向する位置に、インナーケース２２に設けられた突起２３が位置しているため、侵入してきた静電気は、突起２３からインナーケース２２を通り、電子回路基板２０のグランドに導かれる。【選択図】図２
2012114663.tif 000002
【特許請求の範囲】
【請求項１】
電子回路基板を内蔵し、その一部に開口部が形成された筺体と、
前記電子回路基板上に実装された電子部品と、
前記電子部品の外周側に設けられ、グランドに接地された導電性材料からなるシールドケースと、
前記筺体に形成された前記開口部を塞ぐカバーと、を備え、
前記筺体には、前記開口部の周囲に、前記カバーと前記筺体との合わせ面に臨む貫通孔が形成され、
前記シールドケースに、前記貫通孔内に挿入される突起が一体に形成されていることを特徴とする電子機器。
【請求項２】
前記カバーと前記筺体との合わせ面に、前記カバーの全周にわたって連続する導電性材料からなる帯状の導電部が設けられ、
前記導電部は、前記突起に接触し、又は近接していることを特徴とする請求項１に記載の電子機器。
【発明の詳細な説明】
【技術分野】
【０００１】
本発明は、携帯型電話端末をはじめとする各種電子機器に関する。
【背景技術】
【０００２】
携帯電話をはじめとする携帯型の各種電子機器においては、その高機能化により、液晶表示部や、ＬＥＤ発光部、カメラセンサ、赤外線センサ等を設けるために、筺体表面に、光を透過させるパネルを設けることが多くなっている。
また、電子機器の薄型化が常に求められていることから、内部部品との干渉を避ける為に筐体に逃がし穴を設けたり、金型構造上、筐体に貫通穴をあける場合もある。そのような場合、図３に示すように、筺体１に形成した逃がし穴や貫通穴の開口部２を、外装用のカバー３で塞ぐ構成が採用されることが多い。
【０００３】
しかし、筺体１に開口部２を設けると、開口部２とカバー３との隙間から、静電気等が筺体１内に侵入し易くなってしまう。静電気等が筺体１内に侵入すると、内部の電子部品４が機能的に損傷することもある。なお、図３において、符号５は電子回路基板、６は電磁ノイズを遮蔽するシールドケース、７はカバー３を開口部２に固定するための両面テープである。
【０００４】
そこで、筺体内に侵入する静電気の対策として、例えば、特許文献１や図４に示すように、筺体１の開口部２とカバー３との合わせ面から、筺体１内に設けられた電子部品４までの沿面距離Ｌを、なるべく長く確保する手法がある。
【０００５】
また、特許文献２や図５に示すように、静電気の侵入部、すなわち筺体の開口部２とカバー３との合わせ面と、電子部品４との間に、グランドに接地されたグランド部材８を設ける手法もある。
【０００６】
さらに、図６に示すように、開口部２と電子部品４との間に、開口部２を塞ぐように導電性材料からなる遮蔽部材９を設ける手法もある。
これ以外にも、筺体１内の電子回路内に、バリスタを配置する手法もある。
【先行技術文献】
【特許文献】
【０００７】
【特許文献１】特開２００８−１８２６０７号公報
【特許文献２】特開２０１０−１５４２２１号公報
【発明の概要】
【発明が解決しようとする課題】
【０００８】
しかしながら、いずれの手法も、対策を施すためにある程度のスペースを必要とするため、小型化、薄型化が重要視される電子機器においては、さらなる改善が求められていた。
そこでなされた本発明の目的は、小型化、薄型化を妨げることなく、筺体内に侵入する静電気による影響を確実に抑えることのできる電子機器を提供することである。
【課題を解決するための手段】
【０００９】
本発明は、上記課題を解決するため、以下の手段を採用する。
すなわち、本発明の電子機は、電子回路基板を内蔵し、その一部に開口部が形成された筺体と、電子回路基板上に実装された電子部品と、電子部品の外周側に設けられ、グランドに接地された導電性材料からなるシールドケースと、筺体に形成された開口部を塞ぐカバーと、を備え、筺体には、開口部の周囲に、カバーと筺体との合わせ面に臨む貫通孔が形成され、シールドケースに、貫通孔内に挿入される突起が一体に形成されていることを特徴とする。
【発明の効果】
【００１０】
本発明によれば、カバーと筺体との合わせ面に、シールドケースに形成された突起が臨むよう設けられているので、カバーと筺体との合わせ面から侵入しようとした静電気を、シールドケースを介してグランドに導くことができる。これにより、筺体内に侵入する静電気による影響を確実に抑えることができる。しかも、シールドケースに突起を設けるだけでよいので、特別な部材等を設ける必要がなく、電子機器の小型化、薄型化を妨げることもない。
【図面の簡単な説明】
【００１１】
【図１】本実施形態に係る携帯電話端末の外観を示す斜視図である。
【図２】図１に示した電話端末の断面図である。
【図３】従来の携帯電話端末の一例を示す断面図である。
【図４】従来の携帯電話端末の他の一例を示す断面図である。
【図５】従来の携帯電話端末のさらに他の一例を示す断面図である。
【図６】従来の携帯電話端末の例を示す断面図である。
【発明を実施するための形態】
【００１２】
以下、添付図面を参照して、本発明による電子機器を実施するための最良の形態を説明する。しかし、本発明はこれらの実施例のみに限定されるものではない。
【００１３】
図１に示すものは、本発明を適用した電子機器の一例である、携帯電話端末（電子機器）１０を示す斜視図である。
図１に示すように、携帯電話端末１０は、画像や文字、映像等の各種情報を表示するモニター部を有した表示筐体（筐体）１１Ａと、ユーザが携帯電話端末１０を操作するための操作キー等を備えた本体筐体１１Ｂとを備えている。
これら表示筐体１１Ａと本体筐体１１Ｂとは、それぞれの一辺側において、ヒンジ部１２により回転可能に連結され、折りたたみ・展開が可能となっている。
【００１４】
ここで、例えば表示筺体１１Ａには、表示筺体１１Ａと本体筺体１１Ｂとを折りたたんだ状態において外方を向く側の表面に、開口部１３が形成されており、この開口部１３には、例えば透過性を有した樹脂からなるカバー１４が設けられている。
【００１５】
図２に示すように、表示筺体１１Ａ内には、電子回路基板２０が内蔵されている。電子回路基板２０の一面側には、開口部１３に臨む位置に液晶表示デバイス２１が実装されている。液晶表示デバイス２１においては、文字や画像等による情報を表示することができ、その情報は、カバー１４を透過し、ユーザが外部から視認できるようになっている。
【００１６】
また、電子回路基板２０において、液晶表示デバイス２１の外周側には、電磁ノイズの漏出や侵入を防ぐためのシールド用として、金属等の導電性材料からなるインナーケース（シールドケース）２２が設けられている。インナーケース２２は、電子回路基板２０の外周部から、電子回路基板２０の表面に直交する方向に延びる立ち上がり壁部２２ａと、立ち上がり壁部２２ａの先端部から内周側の液晶表示デバイス２１に近接する位置まで電子回路基板２０に平行に延びるカバー壁部２２ｂとが一体に形成されており、立ち上がり壁部２２ａは、電子回路基板２０のグランドに接地されている。
【００１７】
表示筺体１１Ａは、開口部１３の周囲に、表示筺体１１Ａの外表面１１ｓよりも電子回路基板２０側に凹んだ段部１５を有している。カバー１４は、この段部１５上に、両面テープ１６等の固定手段により固定されることで、カバー１４の表面１４ｓが表示筺体１１Ａの外表面１１ｓと連続した面を形成している。なお、両面テープ１６は、開口部１３の全周を囲うように設けるのが好ましく、これにより、防水・防塵機能を高めることができる。
【００１８】
開口部１３の外周の全周にわたって形成された段部１５の一部には、カバー１４と段部１５との合わせ面に臨む位置に、本体筺体１１Ａの内外を貫通する貫通孔１７が形成されている。
一方、インナーケース２２のカバー壁部２２ｂには、この貫通孔１７内に向けて突出する突起２３が形成されている。この突起２３は、その先端部２３ａが段部１５の表面とほぼ同一面となる位置、あるいは段部１５よりもカバー１４側に突出するよう形成されるのが好ましい。
【００１９】
このような構成の携帯電話端末１０においては、カバー１４の外周部と表示筺体１１Ａとの隙間Ｓから静電気が侵入しようとすると、当該静電気はカバー１４と段部１５の合わせ面を通過することになる。このとき、カバー１４と段部１５との合わせ面には、インナーケース２２に設けられた突起２３が位置しており、このインナーケース２２は接地されているため、侵入してきた静電気は、突起２３からインナーケース２２を通過し、電子回路基板２０のグランドに導かれる。
【００２０】
したがって、外部からの静電気が液晶表示デバイス２１や電子回路基板２０上に実装された他の電子部品等に到達することを回避することができ、これら液晶表示デバイスや電子部品に悪影響を及ぼしてしまうことを防止することができる。
しかも、従来より設けられているインナーケース２２に突起２３を設けるのみでよいため、静電気対策を施すために特にスペースを必要とすることもなく、携帯電話端末１０の小型化、薄型化を妨げることもなく、低コストで有効な効果を得ることができる。
また、突起２３は、カバー１４と本体筺体１１Ａの合わせ面に位置しているので、外部から侵入した静電気を速やかに排除することができ、上記効果は一層顕著なものとなる。
【００２１】
なお、突起２３および貫通孔１７は、開口部１３の外周部のほぼ全周にわたって連続して形成してもよい。これにより、任意の方向から侵入する静電気に対して有効に効果を発揮できる。
【００２２】
（その他の実施形態）
なお、本発明の電子機器は、図面を参照して説明した上述の各実施形態に限定されるものではなく、その技術的範囲において様々な変形例が考えられる。
例えば、上記実施形態で示した構成に加え、図１に示したように、カバー１４の裏面側に、カバー１４の外周部全周に連続する導電性皮膜３０を設けてもよい。この導電性皮膜３０は、カバー１４を本体筺体１１Ａに装着した状態において、インナーケース２２の突起２３に突き当たる、又は近接するように設ける。
このような構成とすることで、カバー１４の全周において、外部から侵入した静電気を、導電性皮膜３０、突起２３、インナーケース２２を介して電子回路基板２０のグランドに導くことができ、静電気侵入対策を、より効果的なものとすることができる。
【００２３】
さらには、上記の導電性皮膜３０は、両面テープ１６の基材をテープ状の導電性材料で形成することで構成することもできる。すなわち、例えば、金属薄膜等の導電性材料からなるテープ状の基材の両面に、粘着剤（接着剤）を塗布した両面テープ１６を用い、この両面テープ１６の基材をインナーケース２２の突起２３に接触するように、又は近接するように設けるのである。これにより、両面テープ１６を、カバー１４の固定機能と、静電気侵入対策機能の双方を備えたものとすることができる。
これにより、突起２３および貫通孔１７は、開口部１３の周方向の一部に点状に設ければ良く、その設置位置の自由度を高めることができる。
【００２４】
また、開口部１３に対向して液晶表示デバイス２１を設けるようにしたが、これに限るものではなく、例えば操作キー等、他のデバイスを設ける場合にも本発明を同様に適用することができる。その場合、カバー１４の材質は、本体筺体１１Ａと同材料とすることもできるし、適宜他の材質とすることもできる。
さらに、本発明は、携帯電話端末１０以外の各種の電子機器にも同様に適用することができるのは言うまでもない。
これ以外にも、本発明の主旨を逸脱しない限り、上記実施の形態で挙げた構成を取捨選択したり、他の構成に適宜変更することが可能である。
【符号の説明】
【００２５】
１０  携帯電話端末（電子機器）
１１Ａ  表示筐体（筐体）
１１Ｂ  本体筺体
１１ｓ  外表面
１２  ヒンジ部
１３  開口部
１４  カバー
１４ｓ  表面
１５  段部
１６  両面テープ
１７  貫通孔
２０  電子回路基板
２１  液晶表示デバイス
２２  インナーケース（シールドケース）
２２ａ  立ち上がり壁部
２２ｂ  カバー壁部
２３  突起
２３ａ  先端部
３０  導電性皮膜
【図１】
2012114663.tif 000003
【図２】
2012114663.tif 000004
【図３】
2012114663.tif 000005
【図４】
2012114663.tif 000006
【図５】
2012114663.tif 000007
【図６】
2012114663.tif 000008